(57)【要約】【課題】複数の表示領域の表示内容を連携させて表示可能な表示装置を提供すること。【解決手段】画面上に複数の表示領域を表示可能な表示装置が提供される。当該表示装置は、一の前記表示領域内に選択可能な項目を表示する項目表示部と、前記項目表示部により表示された項目が選択された際に当該選択された項目に関連する情報を他の前記表示領域に表示する関連情報表示部とを備えている。また、前記関連情報表示部は、前記一の表示領域で選択された項目が変更された際に前記項目表示部による変更処理に連動して当該変更後の項目に関する情報を前記他の表示領域に表示する。【選択図】図１
2009159376.tif 000002
【特許請求の範囲】
【請求項１】
画面上に複数の表示領域を表示可能な表示装置であって、
一の前記表示領域内に選択可能な項目を表示する項目表示部と、
前記項目表示部により表示された項目が選択された際に当該選択された項目に関連する情報を他の前記表示領域に表示する関連情報表示部と、
を備え、
前記関連情報表示部は、前記一の表示領域で選択された項目が変更された際に前記項目表示部による変更処理に連動して当該変更後の項目に関する情報を前記他の表示領域に表示することを特徴とする、表示装置。
【請求項２】
前記表示領域に表示された情報の表示履歴が記録される履歴記憶部をさらに備え、
前記項目表示部は、前記一の表示領域に表示した項目の情報、及び当該表示領域で選択された項目の情報を前記履歴記憶部に記録し、
前記関連情報表示部は、前記履歴記憶部に記録された過去の表示履歴に基づき、前記他の表示領域とは異なる前記表示領域に当該過去の表示履歴に対応する情報を表示することを特徴とする、請求項１に記載の表示装置。
【請求項３】
前記項目表示部は、発生したエラーを解消するための設定メニュー項目を表示すると共に、当該設定メニュー項目が選択される度に前記履歴記憶部に表示履歴を記録し、
前記関連情報表示部は、前記履歴記憶部に記録された表示履歴に基づき、過去に設定された設定内容を前記表示領域に表示することを特徴とする、請求項２に記載の表示装置。
【請求項４】
放送情報を受信する放送情報受信部と、
前記放送情報受信部により受信された放送情報に含まれる地域情報と、前記一の表示領域に表示された入力インターフェースを介して入力された地域情報との間の不整合を検知してエラーを出力する不整合検知部と、
をさらに備え、
前記関連情報表示部は、前記不整合検知部により出力されたエラーに関連する情報を前記表示領域に表示することを特徴とする、請求項１〜３のいずれかに記載の表示装置。
【請求項５】
画面上に表示される複数の表示領域を各々対応する複数の表示制御手段により制御するための表示制御方法であって、
一の前記表示領域内に選択可能な項目が表示される項目表示ステップと、
前記項目表示ステップにおいて表示された項目が選択された際に、当該選択された項目に関連する情報が他の前記表示領域に表示される関連情報表示ステップと、
を含み、
前記関連情報表示ステップでは、前記一の表示領域で選択された項目の情報が当該表示領域を制御する前記表示制御手段から、前記他の表示領域を制御する前記制御手段に通知された際に当該項目に関連する情報が表示されることを特徴とする、表示制御方法。
【請求項６】
画面上に表示される複数の表示領域を制御するための機能をコンピュータに実現させるためのプログラムであって、
一の前記表示領域内に選択可能な項目を表示する項目表示機能と、
前記項目表示機能により表示された項目が選択された際に、前記項目表示機能から前記一の表示領域内で選択された項目の情報を取得し、当該選択された項目に関連する情報を他の前記表示領域に表示する関連情報表示機能と、
をコンピュータに実現させるためのプログラム。
【発明の詳細な説明】
【技術分野】
【０００１】
本発明は、表示装置、表示制御方法、及びプログラムに関する。
【背景技術】
【０００２】
近年、映像や音楽等のコンテンツが急速にデジタル化され、一般家庭のリビングに設置されている家電製品の多くがデジタル家電と呼ばれる機器に置き換わった。特に、デジタル放送が開始されると共に、デジタル放送受像機の普及が加速し、今や、大半の家庭に設置される放送受像機がデジタル放送受像機に置き換わっている。ところが、こうしたデジタル家電は、家庭で利用する機器としては、従来のアナログ機器に比べて設定が複雑であり、その操作に戸惑うユーザが多い。そのため、デジタル放送受像機等のデジタル家電には、設定用の操作画面の他に、操作手順を示す操作ガイドを表示する機能が搭載されている。
【０００３】
例えば、下記の特許文献１には、ガイド機能付きテレビ受信機に関する技術が記載されている。この技術は、リモートコントローラ（以下、リモコン）に設けられた操作キーの操作に関する操作ガイドを表示する技術に関する。例えば、同文献には、リモコンに設けられた操作キーが押下された際に、その押下された操作キーに関する操作ガイドが表示される技術が記載されている。また、同文献には、表示画面に表示されたメニュー項目の中で、操作ガイドを表示したいメニュー項目が選択された状態でリモコンのガイドキーが押下されることにより、その選択されたメニュー項目に関する操作ガイドが表示される技術も記載されている。
【０００４】
他の例として、下記の特許文献２には、ガイド機能付きデジタルテレビ受信装置に関する技術が記載されている。この技術は、ＢＭＬ（Ｂｒｏａｄｃａｓｔ  Ｍａｒｋｕｐ  Ｌａｎｇｕａｇｅ）やＨＴＭＬ（ＨｙｐｅｒＴｅｘｔ  Ｍａｒｋｕｐ  Ｌａｎｇｕａｇｅ）等のマークアップ言語で記述された操作ガイドをブラウザ等で表示しながら、他の画面領域でテレビの操作をするための技術に関する。例えば、同文献には、テレビ画面を表示するための表示領域と、ガイド画面を表示するための表示領域とが区画され、テレビ画面とガイド画面とが同時に表示されるガイド機能付きデジタルテレビ受信装置の構成が記載されている。
【０００５】
【特許文献１】特開平８−６５５８７号公報
【特許文献２】特開２００３−３０４４６７号公報
【発明の開示】
【発明が解決しようとする課題】
【０００６】
しかしながら、上記の特許文献１、２に記載の技術を適用すると、操作ガイド画面が操作画面に連動して更新されないため、操作画面の操作に応じて画面が切り替わった後も、前段の操作に関する操作ガイド画面、又は最初に表示された操作ガイド画面が表示されたままとなってしまう。そのため、ユーザは、連続して複数段の操作を実行する場合に、各段の操作ガイドを参照しながら画面操作を実行するということが困難になる。
【０００７】
例えば、チャンネル情報の設定画面やエラー発生時の設定画面等は、階層的に構成されている場合が多く、ユーザにより設定された内容に応じて他の設定項目が表示される。こうした場合に、操作ガイドと設定画面とが連動していないと、ユーザは、操作ガイドを参照しながら設定を継続することが困難になる。結局、ユーザは、紙面で提供されるマニュアルを参照しながら設定操作を実行することになってしまう。
【０００８】
そこで、本発明は、上記問題に鑑みてなされたものであり、本発明の目的とするところは、ユーザの操作対象となる選択項目の表示と、その選択に際してユーザが参照する関連情報の表示とが連動するため、選択操作のみで関連情報を閲覧することが可能な、新規かつ改良された表示装置、表示制御方法、及びプログラムを提供することにある。
【課題を解決するための手段】
【０００９】
上記課題を解決するために、本発明のある観点によれば、画面上に複数の表示領域を表示可能な表示装置が提供される。当該表示装置は、一の前記表示領域内に選択可能な項目を表示する項目表示部と、前記項目表示部により表示された項目が選択された際に当該選択された項目に関連する情報を他の前記表示領域に表示する関連情報表示部とを備える。そして、前記関連情報表示部は、前記一の表示領域で選択された項目が変更された際に前記項目表示部による変更処理に連動して当該変更後の項目に関する情報を前記他の表示領域に表示することを特徴とする。
【００１０】
また、前記表示装置は、前記表示領域に表示された情報の表示履歴が記録される履歴記憶部をさらに備えていてもよい。そして、前記項目表示部は、前記一の表示領域に表示した項目の情報、及び当該表示領域で選択された項目の情報を前記履歴記憶部に記録してもよい。さらに、前記関連情報表示部は、前記履歴記憶部に記録された過去の表示履歴に基づき、前記他の表示領域とは異なる前記表示領域に当該過去の表示履歴に対応する情報を表示してもよい。
【００１１】
また、前記項目表示部は、発生したエラーを解消するための設定メニュー項目を表示すると共に、当該設定メニュー項目が選択される度に前記履歴記憶部に表示履歴を記録てもよい。そして、前記関連情報表示部は、前記履歴記憶部に記録された表示履歴に基づき、過去に設定された設定内容を前記表示領域に表示してもよい。
【００１２】
また、前記表示装置は、放送情報を受信する放送情報受信部と、前記放送情報受信部により受信された放送情報に含まれる地域情報と、前記一の表示領域に表示された入力インターフェースを介して入力された地域情報との間の不整合を検知してエラーを出力する不整合検知部とをさらに備えていてもよい。そして、前記関連情報表示部は、前記不整合検知部により出力されたエラーに関連する情報を前記表示領域に表示してもよい。
【００１３】
また、上記課題を解決するために、本発明の別の観点によれば、画面上に表示される複数の表示領域を各々対応する複数の表示制御手段により制御するための表示制御方法が提供される。当該表示制御方法は、一の前記表示領域内に選択可能な項目が表示される項目表示ステップと、前記項目表示ステップにおいて表示された項目が選択された際に、当該選択された項目に関連する情報が他の前記表示領域に表示される関連情報表示ステップとを含む。そして、前記関連情報表示ステップでは、前記一の表示領域で選択された項目の情報が当該表示領域を制御する前記表示制御手段から、前記他の表示領域を制御する前記制御手段に通知された際に当該項目に関連する情報が表示されることを特徴とする。
【００１４】
また、上記課題を解決するために、本発明の別の観点によれば、画面上に表示される複数の表示領域を制御するための機能をコンピュータに実現させるためのプログラムが提供される。当該プログラムは、一の前記表示領域内に選択可能な項目を表示する項目表示機能と、前記項目表示機能により表示された項目が選択された際に、前記項目表示機能から前記一の表示領域内で選択された項目の情報を取得し、当該選択された項目に関連する情報を他の前記表示領域に表示する関連情報表示機能とをコンピュータに実現させるためのプログラムである。
【発明の効果】
【００１５】
以上説明したように本発明によれば、ユーザの操作対象となる選択項目の表示と、その選択に際してユーザが参照する関連情報の表示とが連動するため、選択操作のみで関連情報を閲覧することが可能になる。
【発明を実施するための最良の形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜実施形態＞
以下、本発明の一実施形態について説明する。本実施形態は、操作ガイドと、選択メニュー項目とを個別の表示領域に表示する表示装置に関し、特に、選択メニュー項目のフォーカス位置が変更された際に、その変更処理に連動して操作ガイドが更新される技術に特徴がある。そこで、この技術を実現することが可能な装置、及び方法の一形態について、以下で詳細に説明する。
【００１８】
［表示装置１００の機能構成］
まず、図１を参照しながら、本実施形態に係る表示装置１００の機能構成について説明する。図１は、本実施形態に係る表示装置１００の機能構成を示す説明図である。尚、表示装置１００は、例えば、操作ガイド機能付デジタルテレビ受信機の機能を有する。
【００１９】
図１に示すように、表示装置１００は、主に、ＲＡＭ（Ｒａｎｄｏｍ  Ａｃｃｅｓｓ  Ｍｅｍｏｒｙ）１０２と、表示部１０４と、バス１０６と、制御信号受信部１０８と、放送受信部１１０と、履歴記憶部１１２と、中央処理部１２０と、ＲＯＭ（Ｒｅａｄ  Ｏｎｌｙ  Ｍｅｍｏｒｙ）１３０とにより構成される。
【００２０】
ＲＡＭ１０２は、一時的にデータを格納しておくための記憶手段である。例えば、ＲＡＭ１０２は、中央処理部１２０による演算処理の際に中間的なデータをキャッシュするための手段として利用される。表示部１０４は、表示装置１００の表示画面を構成する手段である。表示部１０４は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  ＤｉｓｐｌａｙＰａｎｅｌ）、又はＥＬＤ（Ｅｌｅｃｔｒｏ−Ｌｕｍｉｎｅｓｃｅｎｃｅ  Ｄｉｓｐｌａｙ）等のディスプレイ装置により構成される。
【００２１】
バス１０６は、表示装置１００を構成する構成要素間の通信経路を形成する手段である。放送受信部１１０は、放送局から配信された放送データを受信する手段である。放送受信部１１０は、例えば、地上デジタル放送、地上アナログ放送、又は衛星放送等の無線配信された放送データを受信する機能を有していてもよいし、或いは、ケーブルテレビやインターネットテレビ等の有線配信された放送データを受信する機能を有していてもよい。さらに、放送受信部１１０は、放送番組の情報、チャンネル設定等の設定情報、又は表示装置１００が設置された地域の情報等を受信する機能を有していてもよい。
【００２２】
（制御信号受信部１０８、制御機器１０）
制御信号受信部１０８は、制御機器１０から発信された制御信号を受信する手段である。制御信号受信部１０８は、制御機器１０から制御信号を受信すると、その制御信号を中央処理部１２０に入力する。制御信号受信部１０８は、例えば、制御機器１０が発信した赤外線信号、可視光信号、ＲＦ信号等を受信するための受光手段である。
【００２３】
制御機器１０は、例えば、図２に示すようなリモートコントローラである。制御機器１０には、表示装置１００を制御するための複数の操作ボタンが設けられている。特に、制御機器１０には、操作ガイドを表示させるためのガイドボタン１２、及び操作メニューを選択するための操作キー１４が形成されている。このガイドボタン１２が押下されることで、表示装置１００に操作ガイドを表示させるための制御信号が出力される。例えば、制御機器１０は、制御信号受信部１０８の機能に対応して制御信号を赤外線、可視光、ＲＦ信号等の伝達媒体に重積して送信する機能を有している。例えば、ユーザは、制御機器１０を操作することにより、操作ガイドを表示部１０４に表示することができる。
【００２４】
（中央処理部１２０）
中央処理部１２０は、ＲＯＭ１３０等に記録されたプログラム１３２に従ってＣＰＵ（Ｃｅｎｔｒａｌ  Ｐｒｏｃｅｓｓｉｎｇ  Ｕｎｉｔ）等の演算手段により所定の機能を提供する機能提供手段である。また、中央処理部１２０は、主に、ブラウザ機能提供部１２２と、ガイド機能提供部１２４と、表示設定機能提供部１２６と、履歴情報管理部１２８とにより構成される。尚、ＲＯＭ１３０には、プログラム１３２の他にも、操作ガイド１３４が記録されている。
【００２５】
（ブラウザ機能提供部１２２）
ブラウザ機能提供部１２２は、表示部１０４の表示画面にブラウジング用の表示インターフェース（以下、ブラウザ）を表示させる手段である。例えば、ブラウザ機能提供部１２２は、ガイド機能提供部１２４、又は表示設定機能提供部１２６により入力されたデータを表示するためのブラウザを表示部１０４に表示させる手段である。ブラウザ機能提供部１２２は、例えば、ＲＯＭ１３０に格納されたブラウザアプリケーションのプログラム１３２に基づいて実現される。
【００２６】
また、ブラウザ機能提供部１２２は、表示部１０４の表示画面上に複数のブラウザを表示させて、各ブラウザに異なる情報を表示することが可能である。そのため、ブラウザ機能提供部１２２は、複数のブラウザを用いて複数の表示領域を形成することができる。例えば、ブラウザ機能提供部１２２は、テレビ機能を設定するための設定メニュー項目が表示される表示領域と、操作ガイドが表示される表示領域とを異なるブラウザで表示することができる。
【００２７】
また、ブラウザ機能提供部１２２は、表示部１０４の表示画面を有効に利用するため、複数のブラウザが重積しないように、各ブラウザの表示位置や大きさを調整することもできる。さらに、ブラウザ機能提供部１２２は、ブラウザに表示される内容に応じてブラウザの表示位置や大きさを調整してもよい。例えば、ブラウザ機能提供部１２２は、設定メニュー項目が表示されるブラウザと、操作ガイドが表示されるブラウザとを比較的大きく表示し、一方で、過去の操作履歴や他の参照情報が表示されるブラウザを比較的小さく表示してもよい。
【００２８】
例えば、ブラウザ機能提供部１２２は、所定の操作に基づいて操作ガイドが表示されているブラウザの大きさを拡大してもよい。所定の操作とは、例えば、操作ガイドが表示されている状態で、更にガイドボタン１２が押下された場合や、操作キー１４と他のボタンとを組み合わせて予め設定されたズームアップ操作が実行された場合等である。もちろん、ブラウザの拡大／縮小操作方法は、これらの例に限定されず、制御信号受信部１０８を介して制御機器１０から入力された所定のユーザ操作に応じて実行される。所定のユーザ操作には、表示部１０４に表示されたグラフィカルユーザインターフェースを用いた操作も含まれる。この場合、ユーザは、操作キー１４と他のキーとを組み合わせて利用し、表示部１０４に表示されたオブジェクトを操作する。
【００２９】
また、ブラウザ機能提供部１２２は、ブラウザに表示した内容を履歴情報として記録する機能を有している。ブラウザ機能提供部１２２は、複数のブラウザを表示していた場合、各ブラウザに表示していた内容をブラウザ毎の履歴情報として記録してもよい。このとき、ブラウザ機能提供部１２２は、表示内容の履歴情報を履歴記憶部１１２に記録する。また、ブラウザ機能提供部１２２は、表示内容の履歴情報を効率的に読み出せるように、種類や属性毎に履歴情報に対してインデックスを付してもよい。また、ブラウザ機能提供部１２２は、時間情報に対応付けて履歴情報を履歴記憶部１１２に記録してもよい。
【００３０】
（ガイド機能提供部１２４）
ガイド機能提供部１２４は、ブラウザを介して操作ガイドを表示部１０４の表示画面に表示させる手段である。そのため、ガイド機能提供部１２４は、ＲＯＭ１３０に格納された操作ガイド１３４の情報（例えば、表示させる操作ガイド１３４のＵＲＩ（Ｕｎｉｆｏｒｍ  Ｒｅｓｏｕｒｃｅ  Ｉｄｅｎｔｉｆｉｅｒ））をブラウザ機能提供部１２２に入力する。このとき、ガイド機能提供部１２４は、表示部１０４の表示画面にブラウザを介して表示された設定メニュー項目のフォーカス位置の変更に応じて、ＲＯＭ１３０から読み出される操作ガイド１３４の情報を変更する。つまり、ガイド機能提供部１２４は、後述する表示設定機能提供部１２６の動作と連携して操作ガイドを表示させる。尚、ガイド機能提供部１２４は、例えば、ＲＯＭ１３０に格納されたガイドアプリケーションのプログラム１３２により実現される。
【００３１】
例えば、ガイド機能提供部１２４は、設定メニュー項目が表示されたブラウザの中にあるチャンネル設定項目にフォーカスが移動した場合、そのチャンネル設定項目に関連する内容の操作ガイド１３４を読み込んでブラウザ機能提供部１２２に入力する。このとき、ガイド機能提供部１２４は、ブラウザ機能提供部１２２に対し、操作ガイド１３４を表示させるブラウザを指定してもよい。例えば、ブラウザ機能提供部１２２は、操作ガイド１３４がブラウザの一画面に収まらない場合、表示し切れない部分を他のブラウザに表示させてもよい。若しくは、ブラウザ機能提供部１２２は、ブラウザ機能提供部１２２に対してブラウザ内の表示内容を繰り下げ又は繰り上げて表示するためのスクロール手段を表示させてもよい。
【００３２】
また、ガイド機能提供部１２４は、履歴記憶部１１２に記録された過去の操作ガイド１３４を読み出して表示部１０４に表示させることもできる。例えば、ガイド機能提供部１２４は、現在表示されている操作ガイド１３４の前に表示されていた操作ガイド１３４を別途設けられる他のブラウザに表示させてもよい。また、ガイド機能提供部１２４は、設定操作の全体的な流れを示す操作ガイド１３４を設定画面が表示されている間、恒常的に他のブラウザに表示させていてもよい。さらに、ガイド機能提供部１２４は、表示する操作ガイド１３４の内容に応じて、その操作ガイド１３４が表示されるブラウザの表示位置や大きさ、或いは、ブラウザ内に表示されるフォントの大きさ等の表示情報をブラウザ機能提供部１２２に入力してもよい。
【００３３】
（表示設定機能提供部１２６）
表示設定機能提供部１２６は、ブラウザを介して設定メニュー項目等の表示設定インターフェースを表示部１０４の表示画面に表示させる手段である。そのため、表示設定機能提供部１２６は、ＲＯＭ１３０に格納された表示設定アプリケーションのプログラム１３２に基づいて表示設定インターフェースを表示させるための表示データをブラウザ機能提供部１２２に入力する。また、表示設定機能提供部１２６は、エラー表示、及びエラーに係る設定画面を表示する手段でもある。
【００３４】
表示設定機能提供部１２６は、制御信号受信部１０８を介して入力された制御信号に応じて、表示画面に表示されたオブジェクトに対するフォーカスを移動させることができる。また、表示設定機能提供部１２６は、フォーカスが移動した旨（イベント）、及び、その移動先のオブジェクトを示す情報をガイド機能提供部１２４に通知する。この通知により、表示設定機能提供部１２６は、ガイド機能提供部１２４により提供される操作ガイド１３４の内容を更新させることが可能になる。
【００３５】
例えば、表示設定機能提供部１２６は、表示画面に表示された複数の設定メニュー項目の中で、ユーザ操作に応じてフォーカスを地域設定項目に移動した場合、地域設定項目にフォーカスが移動した旨をガイド機能提供部１２４に通知する。その結果、操作ガイド１３４が表示されたブラウザの内容が地域設定項目に関連する操作ガイド１３４の内容に更新される。
【００３６】
また、表示設定機能提供部１２６は、設定画面が多段の階層構造を有する場合、設定メニュー項目が選択されて上位又は下位階層の設定メニュー項目を表示する際にも、階層が移動した旨、及び、その階層を示す情報をガイド機能提供部１２４に通知する。この場合も、操作ガイド１３４が表示されたブラウザの内容が上位又は下位階層に関連する操作ガイド１３４の内容に更新される。但し、階層が移動しても、実質的に操作手順等の変更が必要無い場合、ガイド機能提供部１２４により操作ガイド１３４の内容が変更されないこともある。
【００３７】
また、表示設定機能提供部１２６は、履歴記憶部１１２に記録された過去の設定画面構成を読み出して表示部１０４に表示させることもできる。例えば、表示設定機能提供部１２６は、現在表示されている設定画面の前に表示されていた設定画面の内容を別途設けられる他のブラウザに表示させてもよい。また、表示設定機能提供部１２６は、ユーザが過去に選択した設定メニュー項目の全体的な履歴を逐次的に更新しながら、恒常的に他のブラウザに表示させていてもよい。さらに、表示設定機能提供部１２６は、表示する設定メニュー項目の内容に応じて、その設定画面が表示されるブラウザの表示位置や大きさ、或いは、ブラウザ内に表示されるフォントの大きさ等の表示情報を変更するようにブラウザ機能提供部１２２に指示してもよい。
【００３８】
（履歴情報管理部１２８、履歴記憶部１１２）
履歴情報管理部１２８は、履歴記憶部１１２に記録された表示履歴を管理する手段である。上記の通り、履歴記憶部１１２には、ブラウザ機能提供部１２２により表示された操作ガイド１３４や設定画面等の表示履歴が記録されている。そこで、履歴情報管理部１２８は、これらの表示履歴を時間情報に関連付けて管理する。
【００３９】
例えば、履歴情報管理部１２８は、ガイド機能提供部１２４により、現在表示されている操作ガイド１３４の前に表示されていた操作ガイド１３４の内容が参照される際に、その内容を履歴記憶部１１２から検出することができる。同様に、履歴情報管理部１２８は、表示設定機能提供部１２６により、現在表示されている設定画面の前に表示されていた設定画面の内容が参照される際に、その内容を履歴記憶部１１２から検出することができる。また、履歴情報管理部１２８は、表示設定機能提供部１２６により、現在フォーカスされている設定メニュー項目の前にフォーカスされていた設定メニュー項目が参照される際に、その項目を履歴記憶部１１２から検出することができる。
【００４０】
さらに、履歴情報管理部１２８は、ブラウザ機能提供部１２２により、ユーザ操作を受けて各ブラウザに表示されていた表示内容が過去の表示内容に変更される際に、各ブラウザに表示されていた過去の表示内容を履歴記憶部１１２から検出してブラウザ機能提供部１２２に入力する。このとき、履歴情報管理部１２８は、所定のステップ数だけ時間的に前又は後の表示内容を履歴記憶部１１２から検出することもできる。
【００４１】
また、履歴情報管理部１２８は、所定時間だけ経過した過去の表示履歴を履歴記憶部１１２から自動的に消去してもよい。さらに、履歴情報管理部１２８は、履歴記憶部１１２に記録された表示履歴を時系列で逐次的に読み出してブラウザ機能提供部１２２に入力することにより、過去の設定操作を自動再生してもよい。このように、表示履歴を有効に利用することで、ユーザは、設定操作のミスをより早く確実に発見することが可能になる上、いつでも過去の設定操作を再確認できるため、設定ミスを恐れずに安心して設定操作をすることができるようになる。その結果、心理的不安から来る不用意な設定ミスが低減され、老人や機械オンチのユーザでも、自らの手で効率的に設定操作をすることができるようになる。
【００４２】
以上、本実施形態に係る表示装置１００の機能構成について説明した。上記の通り、本実施形態に係る技術を適用すると、設定画面と操作ガイドとが連動して表示されるため、ユーザは、少ないリモコン操作で所望の設定をすることが可能になる。また、過去の操作履歴が参照できるため、ユーザは、設定ミスを効率的に発見できるようになる。特に、エラー回復に係る設定処理等において、階層的な設定項目がある場合にも、各設定項目の選択又は設定画面の表示に連携して適切な操作ガイドが表示されるため、ユーザは、その操作ガイドに従って設定操作を実行することでエラー回復が可能になる。
【００４３】
［操作ガイド表示方法］
次に、図３を参照しながら、本実施形態に係る操作ガイド表示方法について説明する。図３は、本実施形態に係る操作ガイド表示方法の流れを示す説明図である。この操作ガイド表示処理は、上記の表示装置１００が有する各機能構成により実行される。
【００４４】
図３に示すように、まず、表示設定機能提供部１２６が動作中であるか否かが判断される（Ｓ１０２）。もし、表示部１０４に設定画面が表示され、表示設定機能提供部１２６が動作している場合、表示装置１００は、ステップＳ１０４の処理に進行する。一方、表示設定機能提供部１２６が動作していない場合、表示装置１００は、ステップＳ１１６の処理に進行する。
【００４５】
ステップＳ１０４において、表示設定機能提供部１２６は、表示している設定画面の情報（例えば、対応するＵＲＩ）をブラウザ機能提供部１２２に通知する（Ｓ１０４）。次いで、ブラウザ機能提供部１２２により、表示設定機能提供部１２６から通知された情報に対応する操作ガイド１３４が読み込まれる（Ｓ１０６）。次いで、ブラウザ機能提供部１２２により、表示部１０４の表示画面にブラウザを介して読み込まれた操作ガイド１３４が表示される（Ｓ１０８）。
【００４６】
ステップＳ１１６において、ブラウザ機能提供部１２２により、操作ガイドの目次画面が表示される（Ｓ１１６）。ユーザにより目次画面に表示された項目が選択されると、ガイド機能提供部１２４により、その項目に対応する操作ガイド１３４が表示される（Ｓ１１８）。さらに、ユーザによる設定機能の選択操作を受けると、表示装置１００は、表示されている操作ガイド１３４に対応する選択操作がされたか否かを判断する（Ｓ１２０）。もし、対応する選択操作がされた場合、表示装置１００は、ステップＳ１２２の処理に進行する。逆に、対応する選択操作がされなかった場合、表示装置１００は、ステップＳ１２４の処理に進行する。
【００４７】
ステップＳ１２２において、表示装置１００は、表示設定機能提供部１２６を起動し、ユーザにより選択された設定機能を有効にする（Ｓ１２２）。一方、ステップＳ１２４において、表示装置１００は、ユーザにより操作ガイドの終了が選択されたか否かを判断する（Ｓ１２４）。操作ガイドの終了が選択された場合、表示装置１００は、操作ガイドの表示処理を終了する。一方、操作ガイドの終了が選択されていない場合、表示装置１００は、ステップＳ１１８の処理に進行する。
【００４８】
ステップＳ１１０において、ユーザは、表示された操作ガイド１３４を参照しながら表示機能を設定する（Ｓ１１０）。このとき、ユーザによる設定操作に連動して操作ガイド１３４も更新される。次いで、表示装置１００は、表示機能の設定が完了したか否かを判断する（Ｓ１１２）。設定が完了している場合、表示装置１００は、操作ガイド表示方法に係る処理を終了する。一方、設定が完了していない場合、表示装置１００は、ステップＳ１１４の処理に進行する。ステップＳ１１４において、表示装置１００は、次の設定画面を表示し（Ｓ１１４）、ステップＳ１０４の処理に再び進行する。
【００４９】
以上、本実施形態に係る操作ガイド表示方法について説明した。上記の通り、本実施形態に係る操作ガイド表示方法を適用することにより、ユーザは、操作ガイドから表示設定機能提供部１２６を起動して簡単に表示機能の設定ができるようになる。尚、表示機能の設定操作が完了すると、操作ガイド１３４の表示も終了される。
【００５０】
［表示画面構成の具体例］
次に、図４〜図１５を参照しながら、本実施形態に係る表示装置１００の具体的な表示画面構成について説明する。図４〜図１５は、本実施形態に係る表示装置１００による表示画面構成の具体例を示す説明図である。以下の説明において、表示設定として、テレビ機能の設定を例に挙げて説明するが、本実施形態の適用範囲は、これに限定されるものではない。例えば、表示装置１００が有する放送受信設定以外の通信設定や他の接続機器に関する設定についても当該適用範囲に含まれる。
【００５１】
（基本的な画面構成）
図４〜図９を参照しながら、本実施形態に係る表示装置１００の基本的な表示画面構成について説明する。
【００５２】
まず、図４を参照する。図４に示すように、表示部１０４の表示画面１５０には、テレビ設定のための設定メニュー項目が表示された表示領域（設定画面１５２）が表示される。この設定画面１５２には、例えば、「操作ガイド」オブジェクト１５４と、「終了」オブジェクト１５６と、「次」オブジェクト１５８と、「地域設定」オブジェクト１６０と、「チャンネル設定」オブジェクト１６２と、「電話設定」オブジェクト１６４とが表示される。これらのオブジェクトは、選択可能な設定メニュー項目である。
【００５３】
この設定画面１５２では、制御機器１０を用いたユーザ操作に応じて、オブジェクトの間でフォーカスが移動したり、或いは、フォーカスされたオブジェクトが選択されたりする。この状態で、ユーザは、制御機器１０のガイドボタン１２を押下するか、或いは、設定画面１５２に表示された「操作ガイド」オブジェクト１５４を選択することで、操作ガイド画面を表示させることができる。
【００５４】
次に、図５を参照する。図５は、設定画面１５２に加えて、操作ガイドを表示するための表示領域（操作ガイド画面１７０）が並べて表示された場合の画面構成の一例である。この例の場合、操作ガイド画面１７０には、設定画面１５２の内容（デジタルテレビ設定）に関する情報が表示されている。この状態で、ユーザは、制御機器１０を操作して設定画面１５２の他のオブジェクトにフォーカスを移動することができる。
【００５５】
ところで、表示装置１００は、ブラウザを利用して複数の表示領域を表示することができる。また、表示装置１００は、複数の表示領域を自由に配置することや、その大きさを自由に調整することができる。図５の例では、設定画面１５２と操作ガイド画面１７０とを同程度の大きさで表示画面１５０の長手方向に並置しているが、これに限定されない。例えば、操作ガイド画面１７０に表示される文字情報の量が多い場合、表示装置１００は、操作ガイド画面１７０を長手方向及び／又は短手方向に大きく表示してもよい。
【００５６】
ユーザ操作に応じてフォーカスが「地域設定」オブジェクト１６０に移動されると、その移動処理に応じて、図６に示すように、操作ガイド画面１７０に表示される操作ガイドの内容が更新される。そこで、図６を参照する。図６は、「地域設定」オブジェクト１６０がフォーカスされた場合の表示画面１５０の画面構成を示す説明図である。
【００５７】
図６に示すように、「地域設定」オブジェクト１６０にフォーカスが移動されると、操作ガイド画面１７０には、このテレビ設定における地域設定の情報が操作ガイド画面１７０に表示される。このように、設定画面１５２に表示されるオブジェクトの中でも、「地域設定」オブジェクト１６０のように、オブジェクト毎に操作ガイドが設定されているものと、「操作ガイド」オブジェクト１５４や「次」オブジェクト１５８のように操作ガイドが個別に設定されていないものとがある。例えば、「地域設定」オブジェクト１６０から「電話設定」オブジェクト１６４にフォーカスが移動した場合、図７に示すように、電話設定に関する操作ガイドが操作ガイド画面１７０に表示される。
【００５８】
次に、図７、図８を参照する。図７は、「電話設定」オブジェクト１６４にフォーカスが移動した場合の表示画面構成である。図８は、「電話設定」オブジェクト１６４が選択された場合に表示される詳細設定画面の表示画面構成である。
【００５９】
例えば、図７に示すように、「電話設定」オブジェクト１６４がフォーカスされた状態で、ユーザにより制御機器１０を用いて選択操作が実行されると、図８のような詳細設定画面が表示される。図８を参照すると、設定画面１５２には、「電話設定」に関する詳細な設定項目として、回線種別、外線発信番号、及び電話設定を設定するための詳細設定領域１６６が表示されている。例えば、図８に示すように、詳細設定領域１６６の「回線種別」がフォーカスされている場合、操作ガイド画面１７０には、回線種別に関する操作ガイドが表示される。このように、設定画面１５２が階層的に表示される表示構造を有していても、操作ガイド画面１７０には、その表示内容に応じた操作ガイドが表示される。
【００６０】
次に、図９を参照する。図９は、表示画面１５０に履歴表示画面１７２が表示された場合の表示画面構成の一例を示している。図９に示すように、表示画面１５０には、現在の設定画面１５２、及びそれに対応する操作ガイド画面１７０に加え、過去に表示された設定画面１５２が履歴表示画面１７２に表示されてもよい。履歴表示画面１７２に表示される内容は、履歴情報管理部１２８により履歴記憶部１１２から抽出され、ブラウザ機能提供部１２２により表示される。また、履歴情報の表示は、その内容がユーザにとって操作ガイドの役割を果たすため、例えば、ガイド機能提供部１２４により制御される。
【００６１】
ユーザは、操作ガイドを参照しながら表示設定を行う。表示設定が完了した場合、ユーザは、制御機器１０の「終了」ボタンを押下するか、或いは、設定画面１５２に表示された「終了」オブジェクト１５６を選択することで、設定処理を終了することができる。ユーザにより終了処理が指示されると、表示装置１００は、設定処理を終了し、表示画面１５０を元の１画面表示に戻す。
【００６２】
（エラー回復処理に関する表示画面構成）
次に、図１０〜図１３を参照しながら、本実施形態に係る表示装置１００によるエラー回復処理に係る表示画面構成について説明する。
【００６３】
エラー発生時に表示される設定項目は、とりわけ複雑である場合が多い。特に、コンピュータやソフトウェア等に関する特別な知識を有しない一般的なユーザにとっては、表示されるエラーの内容すら理解できないことが多い。また、ユーザが不適切な操作を実行した場合、その不適切な操作に起因するエラーが多重して発生するため、もはや、一般ユーザには回復できない状態になってしまう。こうした問題は、エラー回復処理に係る設定画面の表示形式が深い階層構造を成していたり、複数の異なるアプリケーションによる設定操作が必要になるためである。
【００６４】
そのため、エラー回復処理に係る設定操作の操作ガイドを表示する試みもなされているが、エラー回復に直結しない内容の操作ガイドが表示されたり、設定画面が更新されているにも関わらず、操作ガイドの内容が更新されないといった問題が多数存在する。また、本実施形態に係る表示装置１００の一形態として、デジタル放送受信装置やデジタル映像録画再生装置等のデジタル機器が想定されるが、これらの機器は、図２に示した制御機器１０のような単純な操作手段しか持たないリモコン等により制御される。そのため、一度設定操作が実行されると、過去の設定に戻したり、或いは、過去の設定操作を確認しながら、現在の設定操作を進めるといった操作が困難である。
【００６５】
従って、表示画面の構成を工夫すると共に、その表示制御に係る操作体系、及び表示制御方式に更なる工夫を凝らす必要がある。こうした工夫は、上記の基本的な表示画面構成、及び表示装置１００の機能構成を応用することで実現することが可能になる。そこで、本実施形態に係る技術を用いたエラー回復処理に関する表示画面構成例を以下に示す。
【００６６】
まず、図１０を参照する。図１０に示すように、表示装置１００は、エラーの発生に応じて、そのエラーの内容及び回復手段を示すエラー表示画面１８０を表示する。図１０の例において、エラー表示画面１８０には、エラー回復手段の内容と共に、「操作ガイド」オブジェクト１８２と、「チャンネル設定」オブジェクト１８４とが表示されている。
【００６７】
この状態で、ユーザにより制御機器１０のガイドボタン１２が押下されるか、或いは、「操作ガイド」オブジェクト１８２が選択されると、図１１に示すように、チャンネル設定に関する操作ガイドが表示される。一方、「チャンネル設定」オブジェクト１８４が選択されると、チャンネル設定用のアプリケーションが起動され、その設定画面のみが表示される。つまり、この操作ガイドは、エラー回復処理の内容をユーザに通知するための詳細な説明情報の一例である。また、このアプリケーションは、エラー回復処理を実行するためのアプリケーションの一例である。ここでは、「操作ガイド」オブジェクト１８２が選択された場合を考える。
【００６８】
そこで、図１１を参照する。図１１に示すように、表示装置１００は、「操作ガイド」オブジェクト１８２が選択されると、エラー表示画面１８０を縮小し、チャンネル設定に関する操作ガイド画面１９０を表示画面１５０に並べて表示する。操作ガイド画面１９０には、例えば、チャンネル設定を表示するためのリンクオブジェクト１９２が表示される。このリンクオブジェクト１９２は、設定の修正に利用されるアプリケーションを起動するための起動手段である。このリンクオブジェクト１９２が選択されると、図１２のようなチャンネル設定画面が表示される。
【００６９】
図１２を参照すると、表示画面１５０には、エラー表示画面１８０に代えて、チャンネル設定用の設定画面１８６が表示されている。また、操作ガイド画面１９０の表示内容は、設定画面１８６に対応する説明情報に更新されている。また、設定画面１８６には、チャンネル設定のための詳細な設定項目を有する表示領域１８８が表示されている。ユーザにより表示領域１８８に表示された設定項目がフォーカスされると、そのフォーカスされた設定項目に関する詳細な説明ガイドが操作ガイド画面１９０に表示される。
【００７０】
そのため、ユーザは、操作ガイド画面１９０に表示された詳細な操作ガイドを参照しながら、誤ったチャンネル設定を修正することができる。また、ユーザは、設定画面１８６に表示された「終了」オブジェクトを選択することにより、修正処理を終了して表示画面１５０を元の１画面表示に戻すことができる。このように、ユーザは、逐次更新される操作ガイドを参照しながら、エラー状態を容易に回復することが可能になる。
【００７１】
次に、図１３を参照する。図１３は、表示画面１５０に履歴表示画面１９４が表示された場合の表示画面構成の一例を示している。図１３に示すように、表示画面１５０には、設定画面１８６、及びそれに対応する操作ガイド画面１９０に加え、エラー表示画面１８０に表示されたエラーの内容が履歴表示画面１９４に表示されてもよい。履歴表示画面１９４に表示される内容は、履歴情報管理部１２８により履歴記憶部１１２から抽出され、ブラウザ機能提供部１２２により表示される。また、履歴情報の表示は、例えば、ガイド機能提供部１２４により制御される。
【００７２】
（エラー予想時の表示画面構成）
次に、図１４、図１５を参照しながら、本実施形態に係る表示装置１００によるエラー予想時の処理に係る表示画面構成について説明する。
【００７３】
デジタル放送受像器等の放送機器には、その放送機器が設置された地域の情報を放送局又は地域情報を管理する管理手段等に通知する機能がある。また、こうした放送機器は、この地域情報を用いて受信可能なチャンネルを判別し、チャンネルの選択候補としてユーザに提示する機能を備えている。そのため、放送機器は、ユーザにより誤った設定がされた場合に、その設定の誤りを予想してユーザに通知することができる。
【００７４】
こうした通知機能は、例えば、隣接する放送地域の境界付近に設置された放送機器に対して非常に有用である。隣接放送地域の境界付近では、誤ったチャンネル設定がされても、一部のチャンネルについて正しく放送が受信される場合があるため、ユーザが誤ったチャンネル設定に気付かないケースが考えられるからである。このような場合、映像や音声が正しく表示されていても、データ放送等のデジタルデータが表示されないケースがある。本実施形態に係る技術は、こうしたエラー予想時の表示設定にも有効に適用される。
【００７５】
まず、図１４を参照する。図１４に示すように、表示装置１００は、ユーザ操作に応じて地域設定のための設定画面１５２を表示する場合、その表示処理に連動して地域設定に関する操作ガイドを操作ガイド画面１７０に表示する。図１４に示す例のように、例えば、県域を設定する選択オブジェクトがフォーカスされている場合、その県域設定に関する説明情報が操作ガイド画面１７０に表示される。
【００７６】
地域設定の場合、設定画面１５２には、県域設定用のオブジェクトの他にも、郵便番号の入力欄等が設けられている。例えば、表示装置１００は、入力された郵便番号に基づいて地域を判別することができる。尚、郵便番号の入力欄にフォーカスが移動した際にも、操作ガイド画面１７０の表示内容が更新される。
【００７７】
ユーザは、設定画面１５２の「終了」オブジェクトを選択することにより、設定処理を終了することができる。このとき、ユーザによるチャンネル設定が間違っている可能性があるため、表示装置１００は、図１５に示すような警告を設定画面１５２に表示する。さらに、表示装置１００は、設定画面１５２に表示した警告に応じて、操作ガイド画面１７０に表示される内容を警告表示の解説に変更する。
【００７８】
以上、本実施形態に係る表示装置１００の具体的な表示画面構成について説明した。この表示画面構成における特徴は、設定画面と操作ガイドとが同期して表示される点にある。また、エラーの回復処理において、そのエラーに対応したアプリケーションを起動する際にも、操作ガイドの内容が連動して表示されるため、表示構成や操作体系が変更されても、ユーザが戸惑う事無く設定できるようになる。また、過去の設定履歴や表示履歴が表示されているため、ユーザが過去の設定操作の誤りを容易に認識できるようになる。
【００７９】
以上、本発明に係る一実施形態について説明した。既に述べた通り、従来の操作ガイド機能付きデジタルテレビ受信機は、操作方法を表示する機能を有するものの、操作手順が階層的な複数の段階に分かれている場合に、設定画面と操作手順とが連動して表示されないという問題があった。そのため、エラーが発生した場合など、複雑な操作手順を得なければ対処が難しい場合に、操作ガイドを参照しながら、ユーザ自身が操作ガイドに示されている手順通りに問題を解決するといったことが困難であった。
【００８０】
しかしながら、本実施形態に係る表示装置１００は、操作ガイドの表示アプリケーション（ブラウザ機能提供部１２２）と、テレビ機能の設定アプリケーション（表示設定機能提供部１２６）とが連携して動作するため、上記の問題及び困難性を解決することができる。その結果、ユーザがテレビ設定の最中に解り難い操作を操作ガイドを見ながら簡単に設定することができるようになる。また、テレビの設定操作を間違った場合に表示されたエラーメッセージに対しても、操作ガイドを起動し、その操作ガイドに従ってユーザ自身でエラー回復処理を進めることができる。そのため、ユーザは、自身で容易に設定アプリケーションを起動して正しい値を再設定することが可能になる。
【００８１】
［ハードウェア構成（情報処理装置）］
上記装置が有する各構成要素の機能は、例えば、図１６に示すハードウェア構成を有する情報処理装置により、上記の機能を実現するためのコンピュータプログラムを用いて実現することが可能である。図１６は、上記装置の各構成要素が有する機能を実現することが可能な情報処理装置のハードウェア構成を示す説明図である。
【００８２】
図１６に示すように、前記の情報処理装置は、主に、ＣＰＵ９０２と、ＲＯＭ９０４と、ＲＡＭ９０６と、ホストバス９０８と、ブリッジ９１０と、外部バス９１２と、インターフェース９１４と、入力部９１６と、出力部９１８と、記憶部９２０と、ドライブ９２２と、接続ポート９２４と、通信部９２６とにより構成される。
【００８３】
ＣＰＵ９０２は、例えば、演算処理装置又は制御装置として機能し、ＲＯＭ９０４、ＲＡＭ９０６、記憶部９２０、又はリムーバブル記録媒体９２８に記録された各種プログラムに基づいて各構成要素の動作全般又はその一部を制御する。ＲＯＭ９０４は、例えば、ＣＰＵ９０２に読み込まれるプログラムや演算に用いるデータ等を格納する。ＲＡＭ９０６は、例えば、ＣＰＵ９０２に読み込まれるプログラムや、そのプログラムを実行する際に適宜変化する各種パラメータ等を一時的又は永続的に格納する。これらの構成要素は、例えば、高速なデータ伝送が可能なホストバス９０８によって相互に接続されている。また、ホストバス９０８は、例えば、ブリッジ９１０を介して比較的データ伝送速度が低速な外部バス９１２に接続されている。
【００８４】
入力部９１６は、例えば、マウス、キーボード、タッチパネル、ボタン、スイッチ、及びレバー等の操作手段である。また、入力部９１６は、赤外線やその他の電波を利用して制御信号を送信することが可能なリモートコントロール手段（所謂、リモコン）であってもよい。なお、入力部９１６は、上記の操作手段を用いて入力された情報を入力信号としてＣＰＵ９０２に伝送するための入力制御回路等により構成されている。
【００８５】
出力部９１８は、例えば、ＣＲＴ、ＬＣＤ、ＰＤＰ、又はＥＬＤ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。
【００８６】
記憶部９２０は、各種のデータを格納するための装置であり、例えば、ハードディスクドライブ（ＨＤＤ；Ｈａｒｄ  Ｄｉｓｋ  Ｄｒｉｖｅ）等の磁気記憶デバイス、半導体記憶デバイス、光記憶デバイス、又は光磁気記憶デバイス等により構成される。
【００８７】
ドライブ９２２は、例えば、磁気ディスク、光ディスク、光磁気ディスク、又は半導体メモリ等のリムーバブル記録媒体９２８に記録された情報を読み出し、又はリムーバブル記録媒体９２８に情報を書き込む装置である。リムーバブル記録媒体９２８は、例えば、ＤＶＤメディア、Ｂｌｕ−ｒａｙメディア、ＨＤ−ＤＶＤメディア、コンパクトフラッシュ（ＣＦ；ＣｏｍｐａｃｔＦｌａｓｈ）（登録商標）、メモリースティック、又はＳＤメモリカード（Ｓｅｃｕｒｅ  Ｄｉｇｉｔａｌ  ｍｅｍｏｒｙ  ｃａｒｄ）等である。もちろん、リムーバブル記録媒体９２８は、例えば、非接触型ＩＣチップを搭載したＩＣカード（Ｉｎｔｅｇｒａｔｅｄ  Ｃｉｒｃｕｉｔ  Ｃａｒｄ）、又は電子機器等であってもよい。
【００８８】
接続ポート９２４は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９３０を接続するためのポートである。外部接続機器９３０は、例えば、プリンタ、携帯音楽プレーヤ、デジタルカメラ、デジタルビデオカメラ、又はＩＣレコーダ等である。
【００８９】
通信部９２６は、ネットワーク９３２に接続するための通信デバイスであり、例えば、有線又は無線ＬＡＮ（Ｌｏｃａｌ  Ａｒｅａ  Ｎｅｔｗｏｒｋ）、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。また、通信部９２６に接続されるネットワーク９３２は、有線又は無線により接続されたネットワークにより構成され、例えば、インターネット、家庭内ＬＡＮ、赤外線通信、可視光通信、放送、又は衛星通信等である。
【００９０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９１】
例えば、上記の説明において、表示設定に関する機能が表示設定機能提供部１２６により提供されるものと記載したが、本実施形態に係る表示装置１００は、設定項目毎に設定用のアプリケーションを有していてもよい。例えば、表示設定機能提供部１２６の機能が設定項目毎のモジュールに分けられており、各モジュールにより、各設定項目に対応した表示設定機能提供部１２６の機能が提供されてもよい。
【００９２】
また、操作ガイド１３４やプログラム１３２が表示装置１００に内蔵されたＲＯＭ１３０ではなく、取り外し可能なリムーバブル記録メディアに記録されていてもよい。さらに、これらのデータが放送回線又はインターネット等のネットワークを介してアップデートできるように構成されていてもよい。さらに、操作ガイドと設定画面の構成を決めるプログラム等とが個別に管理されていてもよい。このように、操作ガイドの内容と設定画面の構成とが独立して管理されていると、例えば、操作ガイドがアップデートされた際にも、その操作ガイドが記録された記憶手段の内容をアップデートするだけで済むようになる。また、操作ガイドをＢＭＬ等のマークアップ言語で記述してもよい。このようなマークアップ言語で記述することにより、データ量を低減させることができる。
【図面の簡単な説明】
【００９３】
【図１】本発明の一実施形態に係る表示装置の機能構成を示す説明図である。
【図２】同実施形態に係る制御機器の一例を示す説明図である。
【図３】同実施形態に係る操作ガイド表示方法の流れを示す説明図である。
【図４】同実施形態に係る表示装置の表示画面構成の一例を示す説明図である。
【図５】同実施形態に係る表示装置の表示画面構成の一例を示す説明図である。
【図６】同実施形態に係る表示装置の表示画面構成の一例を示す説明図である。
【図７】同実施形態に係る表示装置の表示画面構成の一例を示す説明図である。
【図８】同実施形態に係る表示装置の表示画面構成の一例を示す説明図である。
【図９】同実施形態に係る表示装置の表示画面構成の一例を示す説明図である。
【図１０】同実施形態に係る表示装置の表示画面構成の一例を示す説明図である。
【図１１】同実施形態に係る表示装置の表示画面構成の一例を示す説明図である。
【図１２】同実施形態に係る表示装置の表示画面構成の一例を示す説明図である。
【図１３】同実施形態に係る表示装置の表示画面構成の一例を示す説明図である。
【図１４】同実施形態に係る表示装置の表示画面構成の一例を示す説明図である。
【図１５】同実施形態に係る表示装置の表示画面構成の一例を示す説明図である。
【図１６】同実施形態に係る表示装置のハードウェア構成例を示す説明図である。
【符号の説明】
【００９４】
１０    制御機器
１２    ガイドボタン
１４    操作キー
１００    表示装置
１０２    ＲＡＭ
１０４    表示部
１０６    バス
１０８    制御信号受信部
１１０    放送受信部
１１２    履歴記憶部
１２０    中央処理部
１２２    ブラウザ機能提供部
１２４    ガイド機能提供部
１２６    表示設定機能提供部
１２８    履歴情報管理部
１３０    ＲＯＭ
１３２    プログラム
１３４    操作ガイド
１５０    表示画面
１５２、１８６    設定画面
１５４、１８２    「操作ガイド」オブジェクト
１５６    「終了」オブジェクト
１５８    「次」オブジェクト
１６０    「地域設定」オブジェクト
１６２、１８４    「チャンネル設定」オブジェクト
１６４    「電話設定」オブジェクト
１６６    詳細設定領域
１７０    操作ガイド画面
１７２、１９４    履歴表示画面
１８０    エラー表示画面
１８８    表示領域
１９０    操作ガイド画面
１９２    リンクオブジェクト
【図１】
2009159376.tif 000003
【図２】
2009159376.tif 000004
【図３】
2009159376.tif 000005
【図４】
2009159376.tif 000006
【図５】
2009159376.tif 000007
【図６】
2009159376.tif 000008
【図７】
2009159376.tif 000009
【図８】
2009159376.tif 000010
【図９】
2009159376.tif 000011
【図１０】
2009159376.tif 000012
【図１１】
2009159376.tif 000013
【図１２】
2009159376.tif 000014
【図１３】
2009159376.tif 000015
【図１４】
2009159376.tif 000016
【図１５】
2009159376.tif 000017
【図１６】
2009159376.tif 000018